(57)【要約】【課題】高層ビルに設置されるエレベータにも適用できる汎用性の高いエレベータのロープ掛け方法の提供。【解決手段】釣合い錘１１を昇降路１Ａ上部に吊持する工程と、作業床８を第１の揚重機３で昇降路１Ａ上部に吊持する工程と、支持雇２１を第２の揚重機２２で昇降路１Ａ上部に吊持する工程と、ロープドラム１７を最上階乗場１８ａに載置し、このロープドラム１７から繰り出された主ロープ１６を巻上機５に巻掛けて釣合い錘１１に連結する工程と、ロープドラム１７を移行して支持雇２１に吊持する工程と、第１の揚重機３及び第２の揚重機２２を駆動させて作業床８と支持雇２１を同期して下降させる工程と、昇降路１Ａ下部でロープドラム１７から主ロープ１６を取り外して乗りかご３５に連結する工程とを含むエレベータのロープ掛け方法。【選択図】図６
2010159097.tif 000002
【特許請求の範囲】
【請求項１】
主ロープの一端を乗りかごに連結し、昇降路頂部の機械室に設けられた巻上機を介して前記主ロープの他端を釣合い錘に連結するエレベータのロープ掛け方法において、
前記釣合い錘を前記昇降路上部に吊持する工程と、
作業床を第１の揚重機のロープで前記昇降路上部に吊持する工程と、
支持雇を第２の揚重機のロープで前記昇降路上部に吊持する工程と、
前記主ロープが巻回されたロープドラムを上層階乗場に載置し、このロープドラムから繰り出された前記主ロープを前記巻上機に巻掛けて前記釣合い錘に連結する工程と、
前記ロープドラムを前記上層階乗場から移行して前記支持雇に吊持する工程と、
前記第１の揚重機及び前記第２の揚重機を駆動させて前記作業床と前記支持雇を同期して前記昇降路下部へ下降させる工程と、
前記昇降路下部で前記ロープドラムから前記主ロープを取り外して前記乗りかごに連結する工程とを含むことを特徴とするエレベータのロープ掛け方法。
【発明の詳細な説明】
【技術分野】
【０００１】
本発明は、乗りかごと釣合い錘とが釣瓶式に保持されるエレベータのロープ掛け方法に関するものである。
【背景技術】
【０００２】
従来より、エレベータのロープ掛け作業は、主ロープの一端を乗りかごに連結し、昇降路頂部の機械室に設けられた巻上機を介して主ロープの他端を釣合い錘に連結することによって行われてきた。近年においては、エレベータを利用する乗客の増加に伴い、一度に多くの乗客が乗れるように乗りかごが大型化されている。そのため、エレベータには、複数本の主ロープが使用されており、各主ロープが絡む等の困難を伴い、エレベータのロープ掛け作業が従来に比して煩雑となっていた。
【０００３】
そこで、このような煩雑さを解消し、エレベータのロープ掛け作業の能率を向上させるために、複数本の主ロープが巻回されたロープドラムを作業床としてのかごフレームに転動可能に載置し、このかごフレームを駆動装置である仮設用巻上機で昇降させることによって、複数本の主ロープをロープドラムから繰り出させて各シーブに巻き掛けるエレベータのロープ掛け方法が提案されている（例えば、特許文献１参照）。
【先行技術文献】
【特許文献】
【０００４】
【特許文献１】特開２００１−３０２１３９号公報
【発明の概要】
【発明が解決しようとする課題】
【０００５】
ところで、最近では上記に加えて、高階床の高層ビルの建設が活発に行われており、特に、この種の高層ビルでは、上述の大型化した乗りかごのエレベータが使用される。このような高層ビルのエレベータに特許文献１に開示されたエレベータのロープ掛け方法を適用する場合、乗りかごと釣合い錘とを連結する主ロープの長さが長くなることに伴い、主ロープが巻回されたロープドラムの重さが非常に重くなる。そのため、作業床を昇降させる駆動装置として用いた仮設用巻上機では、作業床にロープドラムを転動可能に載置した状態で作業床を昇降させることができず、ロープドラムから主ロープを繰り出させることができなくなる。このように、該エレベータのロープ掛け方法は、このような高層ビルに設置されるエレベータに適用できず、汎用性が低いという問題があった。
【０００６】
本発明は、このような従来技術の実情に鑑みてなされたもので、その目的は、高層ビルに設置されるエレベータにも適用できる汎用性の高いエレベータのロープ掛け方法を提供することにある。
【課題を解決するための手段】
【０００７】
上記の目的を達成するために、本発明のエレベータのロープ掛け方法は、主ロープの一端を乗りかごに連結し、昇降路頂部の機械室に設けられた巻上機を介して前記主ロープの他端を釣合い錘に連結するエレベータのロープ掛け方法において、前記釣合い錘を前記昇降路上部に吊持する工程と、作業床を第１の揚重機のロープで前記昇降路上部に吊持する工程と、支持雇を第２の揚重機のロープで前記昇降路上部に吊持する工程と、前記主ロープが巻回されたロープドラムを上層階乗場に載置し、このロープドラムから繰り出された前記主ロープを前記巻上機に巻掛けて前記釣合い錘に連結する工程と、前記ロープドラムを前記上層階乗場から移行して前記支持雇に吊持する工程と、前記第１の揚重機及び前記第２の揚重機を駆動させて前記作業床と前記支持雇を同期して前記昇降路下部へ下降させる工程と、前記昇降路下部で前記ロープドラムから前記主ロープを取り外して前記乗りかごに連結する工程とを含むことを特徴としている。
【０００８】
このように構成されたエレベータのロープ掛け方法では、第１の揚重機のロープ及び第２の揚重機のロープを用いて、作業床と支持雇をそれぞれ別々に吊持し、この支持雇にロープドラムを移行することにより、重いロープドラムであっても昇降させることができる。そのため、ロープドラムから繰り出された主ロープを昇降路上部に吊持された釣合い錘に巻上機を介して連結した状態で、第２の揚重機を駆動させてロープドラムを昇降路上部から昇降路下部へ下降させることにより、ロープドラムが回転して主ロープを繰り出させることができる。その際、第１の揚重機及び第２の揚重機を駆動させて作業床と支持雇を同期して昇降路下部へ下降させることにより、下降中に作業床からロープドラムを支持することができるので、ロープドラムの振動を抑え、作業員の作業時の安全性を確保することができる。このように、重量の大きなロープドラムを要する高層ビルに設置されるエレベータにも適用することができ、汎用性が高い。
【発明の効果】
【０００９】
本発明のエレベータのロープ掛け方法では、作業床及びロープドラムを第１の揚重機及び第２の揚重機でそれぞれ別々に吊持することにより、荷重を各揚重機に分散させたので、重いロープドラムであっても昇降させることができ、下降に伴ってロープドラムから主ロープを繰り出すことができる。その際、第１の揚重機及び第２の揚重機を駆動させて作業床と支持雇を同期して昇降路下部へ下降させることにより、下降中に作業床からロープドラムを支持することができるので、ロープドラムの振動を抑え、作業員の作業時の安全性を確保することができると共に、複数本の主ロープが絡むことを防止することができ、作業を簡便に行うことができる。このように、作業の安全性及び作業能率を高めることができると共に高層ビルに設置されるエレベータにも適用することができ、汎用性が高い。
【図面の簡単な説明】
【００１０】
【図１】本発明の実施形態例に係るエレベータのロープ掛け方法を示すフローチャートである。
【図２】該ロープ掛け方法を説明する昇降路縦断面図である。
【図３】該ロープ掛け方法に用いられる支持雇周辺を拡大した正面図である。
【図４】該ロープ掛け方法を説明する昇降路縦断面図である。
【図５】該ロープ掛け方法を説明する昇降路横断面図である。
【図６】該ロープ掛け方法を説明する昇降路縦断面図である。
【図７】該ロープ掛け方法を説明する昇降路縦断面図である。
【発明を実施するための最良の形態】
【００１１】
以下、本発明に係るエレベータのロープ掛け方法を実施するための最良の形態を図に基づいて説明する。
【００１２】
図１は本発明の実施形態例に係るエレベータのロープ掛け方法を示すフローチャート、図２は該ロープ掛け方法を説明する昇降路縦断面図、図３は該ロープ掛け方法に用いられる支持雇周辺を拡大した正面図、図４は該ロープ掛け方法を説明する昇降路縦断面図、図５は該ロープ掛け方法を説明する昇降路横断面図、図６は該ロープ掛け方法を説明する昇降路縦断面図、図７は該ロープ掛け方法を説明する昇降路縦断面図である。
【００１３】
図２に示すように、本発明の実施形態例に係るエレベータのロープ掛け方法は、昇降路１Ａの頂部に機械室１Ｂを備えたエレベータに適用される。機械室１Ｂは、天井近傍に据付作業時等において吊点となる天井吊ビーム２と、この天井吊ビーム２に取り付けられた第１の揚重機３と、機械室１Ｂ床面に対して平行に取り付け固定されたマシンビーム４と、このマシンビーム４上に載置固定されてシーブ５ａを有する巻上機５と、マシンビーム４に取り付けられた転向プーリ６とを備えている。また、図３及び図５に示すように、天井吊ビーム２は一対となっており、互いに平行に配設されている。昇降路１Ａは昇降路壁に沿って互いに平行に延設された一対のガイドレール７ａ，７ｂと、この左側のガイドレール７ａに案内されて昇降する作業床８とを備え、この作業床８は、第１の揚重機３を駆動させる操作装置３ｂを備えている。
【００１４】
以下、本発明の実施形態例に係るエレベータのロープ掛け方法の手順を主として図１のフローチャートを用いながら説明する。
【００１５】
まず、作業床８を第１の揚重機３のロープ３ａで昇降路１Ａ上部に吊持する（Ｓ１）。そして、最下階乗場（図６参照）から釣合い錘１１を昇降路１Ａ内に搬入し、組立てると共に右側のガイドレール７ｂに設置する（Ｓ２）。このとき、釣合い錘１１は、ウェート１１ｂを載置する釣合い錘枠１１ａと、この釣合い錘枠１１ａの上面に取り付けられた釣合い錘ソケット１１ｃとを備えているのみであり、ウェート１１ｂをまだ有していない。なお、手順Ｓ１と手順Ｓ２の順序は可変である。
【００１６】
次に、機械室１Ｂに設けられた図示しない揚重機を用い、釣合い錘１１をガイドレール７ｂに案内させて昇降路１Ａ上部まで揚重する。そして、図２に示すように、玉掛けワイヤ１２ａを介して天井吊ビーム２に取り付けられたチェーンブロック１３を用い、このチェーンブロック１３から垂下する玉掛けワイヤ１２ｂを介して釣合い錘１１を昇降路１Ａ上部に吊持する（Ｓ３）。
【００１７】
次に、釣合い錘枠１１ａに作業床８からウェート１１ｂを積込む（Ｓ４）。このとき、積込むウェート１１ｂの枚数は、設置予定の乗りかご（図７参照）の定格（総）重量の半分に相当する枚数としている。
【００１８】
次に、主ロープ１６を巻回したロープドラム１７を最上階乗場１８ａにドラム廻し１９を介して転動可能に載置し（Ｓ５）、ロープドラム１７から主ロープ１６を繰り出して機械室１Ｂへ引き上げる。そして、主ロープ１６を巻上機５のシーブ５ａに巻掛け、転向プーリ６を介して昇降路１Ａへ垂下させ（Ｓ６）、釣合い錘１１の釣合い錘ソケット１１ｃに連結する（Ｓ７）。
【００１９】
次に、図３〜図５に示すように、支持雇２１を機械室１Ｂの一対の天井吊ビーム２に取り付けられた第２の揚重機２２のロープ２２ａで昇降路１Ａ上部に吊持し（Ｓ８）、ロープドラム１７を最上階乗場１８ａから移行してこの支持雇２１に回転可能に吊持する（Ｓ９）。
【００２０】
ここで、第２の揚重機２２は玉掛けワイヤ３０を介して一対の天井吊ビーム２のいずれか一方に取り付けられ、第２の揚重機２２のロープ２２ａは金車３１及び玉掛けワイヤ３０を介して他方に取り付けられる。また、支持雇２１は、金車３１に取り付けられる索状体２３ａを介して吊持される吊ビーム２３と、ロープドラム１７の円筒中空部に挿通されると共に、吊ビーム２３にビームクランプ２４を介して取り付けられた一対の吊ワイヤ２５でロープドラム１７を回転可能に支持する回転支持ロッド２６と、この回転支持ロッド２６の両端に取り付けられてロープドラム１７及び一対の吊ワイヤ２５の脱落を防止する脱落防止部材２７とを有している。
【００２１】
次に、図５及び図６に示すように、作業床８上の作業員が昇降路１Ａ上部に吊持させたロープドラム１７を支持し、作業床８上の別の作業員が操作装置３ｂを操作して第１の揚重機３を駆動させると共に、機械室１Ｂ内にいる作業員にロープドラム１７を昇降路１Ａ下部へ下降させるように指示する。この指示を受けた機械室１Ｂ内にいる作業員は、機械室１Ｂ内に設けられた操作装置２２ｂを操作して第２の揚重機２２を駆動させ、作業床８と支持雇２１を同期して昇降路１Ａ下部へ下降させる（Ｓ１０）。
【００２２】
次に、昇降路１Ａ下部でロープドラム１７から主ロープ１６を取り外し、ガイドレール７ａに仮固定する（Ｓ１１）。そして、以上の手順Ｓ５〜Ｓ１１を繰り返し、必要な数の主ロープ１６を設置する（Ｓ１２）。
【００２３】
次に、図７に示すように、作業床８をガイドレール７ａから取り外し、最下階乗場１８ｂから搬出する（Ｓ１３）。そして、昇降路１Ａ下部のガイドレール７ａに乗りかご受雇３５ａを設置し（Ｓ１４）、乗りかご３５を乗りかご受雇３５ａで受けながらガイドレール７ａに係合させた状態で組立て（Ｓ１５）、主ロープ１６をガイドレール７ａから取り外し、乗りかご３５の上面に設けられたかご側ソケット３５ｂに連結する（Ｓ１６）。
【００２４】
次に、主ロープ１６を乗りかご３５に連結した後、チェーンブロック１３を操作して釣合い錘１１を吊上げ、釣合い錘１１を揚重後、乗りかご受雇３５ａを取り外す（Ｓ１７）。そして、チェーンブロック１３を操作して釣合い錘１１を吊下げ、主ロープ１６にテンションを掛けて調整する（Ｓ１８）。最後に、釣合い錘１１からチェーンブロック１３を取り外し、乗りかご３５の低速試運転を行う（Ｓ１９）。
【００２５】
このようにした本発明に係るエレベータのロープ掛け方法によれば、第１の揚重機３のロープ３ａ及び第２の揚重機２２のロープ２２ａを用いて作業床８と支持雇２１をそれぞれ別々に吊持し、この支持雇２１にロープドラム１７を移行することにより、重いロープドラム１７であっても昇降させることができる。そのため、ロープドラム１７から繰り出された主ロープ１６を釣合い錘１１に巻上機５を介して連結した状態で、第２の揚重機２２を駆動させてロープドラム１７を下降させることにより、ロープドラム１７が回転して主ロープ１６を繰り出させることができる。その際、第１の揚重機３及び第２の揚重機２２を駆動させて作業床８と支持雇２１を同期して昇降路１Ａ下部へ下降させることにより、下降中に作業床８からロープドラム１７を支持することができるので、ロープドラム１７の振動を抑え、作業員の作業時の安全性を確保することができると共に、複数本の主ロープ１６が絡むことを防止することができ、作業を簡便に行うことができる。このように、作業の安全性及び作業能率を高めることができると共に高層ビルに設置されるエレベータにも適用することができ、汎用性が高い。
【００２６】
また、支持雇２１は、回転支持ロッド２６の両端に脱落防止部材２７を備えているので、ロープドラム１７が昇降路１Ａ上部から昇降路１Ａ下部へ下降する間にロープドラム１７に振動が生じても、ロープドラム１７及び一対の吊ワイヤ２５が脱落することを防止することができ、作業員の作業時における安全性をより高めることができる。
【００２７】
なお、本発明の実施形態例では、図１に示すＳ５〜Ｓ１１の手順を繰り返すことによって、複数本の主ロープ１６を釣合い錘１１及び乗りかご３５に設けた場合について説明したが、複数のロープドラム１７を第２の揚重機２２で吊持し、これら複数のロープドラム１７を同時に下降させて主ロープ１６を繰り出させてもよい。この場合、Ｓ５〜Ｓ１１の手順を繰り返す回数を減らすことができるので、作業時間を短縮することができ、作業の効率性を向上することができる。
【符号の説明】
【００２８】
１Ａ  昇降路
１Ｂ  機械室
２  天井吊ビーム
３  第１の揚重機
３ａ  第１の揚重機のロープ
３ｂ，２２ｂ  操作装置
４  マシンビーム
５  巻上機
５ａ  シーブ
６  転向プーリ
７ａ，７ｂ  ガイドレール
８  作業床
１１  釣合い錘
１１ａ  釣合い錘枠
１１ｂ  ウェート
１１ｃ  釣合い錘ソケット
１２ａ，１２ｂ，３０  玉掛けワイヤ
１３  チェーンブロック
１６  主ロープ
１７  ロープドラム
１８ａ  最上階乗場
１８ｂ  最下階乗場
１９  ドラム廻し
２１  支持雇
２２  第２の揚重機
２２ａ  第２の揚重機のロープ
２３  吊ビーム
２３ａ  索状体
２４  ビームクランプ
２５  吊ワイヤ
２６  回転支持ロッド
２７  脱落防止手段
３１  金車
３５  乗りかご
３５ａ  乗りかご受雇
３５ｂ  かご側ソケット
【図１】
2010159097.tif 000003
【図２】
2010159097.tif 000004
【図３】
2010159097.tif 000005
【図４】
2010159097.tif 000006
【図５】
2010159097.tif 000007
【図６】
2010159097.tif 000008
【図７】
2010159097.tif 000009